(57)【要約】【課題】　書類セキュリティの尺度を与える書類監視手法を提供すること。【解決手段】　無線周波数識別（ＲＦＩＤ）タグを組み込んでいる書類は、移行動作に関し、適切な応答指令要素により監視され得る。書類を置くのに適した表面は、ＲＦＩＤタグ付けされた書類を監視するように構成される。そのような書類は書類処理装置で監視され、書類処理機能に対するアクセスを制御する。【選択図】　　　図１
2004094949.tif 000002
【特許請求の範囲】
【請求項１】
　１つ又はそれ以上の書類の置くのに適した構造のある領域に設けられた複数のセンサであって、各センサが、書類により生成された応答信号を検出することに応答して、センサ出力信号を生成するところの複数のセンサ；及び
　前記センサからの出力信号を受信するように結合され、前記構造に設けられた第１の書類の移動を示す検出信号を生成する検出モジュール；
　より成り、第１群のセンサにより作成された第１群のセンサ出力信号が、第１の書類の第１の位置に関連付けられ、第２群のセンサにより作成された第２群のセンサ出力信号が、第２の書類の第２の位置に関連付けられ，
　前記検出信号が前記第１群のセンサ及び前記第２群のセンサに基づいて作成されることを特徴とする書類監視装置。
【請求項２】
　更に、捕捉データを生成するために検出信号に応答して、音声、映像又は音声−映像データを収集するよう動作する記録装置を有することを特徴とする請求項１記載の装置。
【請求項３】
　更に、捕捉されたデータが前記第１の書類を示す情報に関連付けられることを特徴とする請求項２記載の装置。
【請求項４】
　捕捉されたデータが、前記第１の書類の動きを生じさせた者を表現する画像データを包含することを特徴とする請求項２記載の装置。
【請求項５】
　各センサが、前記構造に設けられた無線周波数識別装置（ＲＦＩＤ）からの応答信号を生成するのに適した応答指令信号を生成する回路を包含することを特徴とする請求項１記載の装置。
【請求項６】
　ＲＦＩＤ装置が、前記書類の中に設けられ、再書き込み可能であり、前記応答指令信号がＲＦＩＤ装置に第１の情報を格納するのに適しており、前記第１の情報が検出信号を表現し、書類の動きの履歴がＲＦＩＤ装置に格納され得ることを特徴とする請求項５記載の装置。
【請求項７】
　更に、書類に設けられた無線周波数識別装置（ＲＦＩＤ）からの応答信号を生成するのに適した、応答指令信号を生成するための少なくとも１つの信号ソースを包含することを特徴とする請求項１記載の装置。
【請求項８】
　ＲＦＩＤ装置が再書き込み可能であり、前記応答指令信号がＲＦＩＤ装置に第１の情報を格納するのに適しており、前記第１の情報が検出信号を表現し、書類の動きの履歴がＲＦＩＤ装置に格納され得ることを特徴とする請求項７記載の装置。
【請求項９】
　前記センサが、第１書類に物理的に関連付けられた少なくとも１つのＲＦＩＤ要素に応答指令するのに適した、無線周波数識別装置（ＲＦＩＤ）応答指令装置であることを特徴とする請求項１記載の装置。
【請求項１０】
　前記センサが、規則的なパターンで並べられることを特徴とする請求項１記載の装置。
【請求項１１】
　前記センサが、不規則的なパターンで並べられることを特徴とする請求項１記載の装置。
【請求項１２】
　書類処理装置の出力トレイに組み込まれる請求項１記載の装置であって、記録装置が検出信号を動作可能に受信し、検出信号に応答して、音声、映像又は音声−映像データを収集することを特徴とする装置。
【請求項１３】
　前記書類処理装置が、プリンタ、コピー機、及びファクシミリ伝送装置の内の何れかより成ることを特徴とする請求項１記載の装置。
【請求項１４】
　応答指令信号を生成する応答指令ソース；
　１つ又はそれ以上の書類の置くのに適した構造のある領域に設けられた複数のセンサであって、各センサが、書類の近辺でセンサ出力信号を生成することで応答し、前記書類は応答指令信号を受けることで応答信号を作成し、前記応答信号が１つ又はそれ以上のセンサによって検出され得るところの複数のセンサ；及び
　前記構造に置かれた第１書類の動きを示す検出信号を生成するために、センサからセンサ出力信号を受信するように接続される検出モジュール；
　より成ることを特徴とする書類監視装置。
【請求項１５】
　応答指令ソースが、無線周波数識別（ＲＦＩＤ）タグから応答信号を生成するのに適した応答指令信号を生成及び送信する送信機より成ることを特徴とする請求項１４記載の装置。
【請求項１６】
　前記ＲＦＩＤタグが再書き込み可能であり、前記応答指令信号がＲＦＩＤタグにおける情報を格納するのに適しており、前記情報卯が検出信号を表現することを特徴とする請求項１５記載の装置。
【請求項１７】
　センサが、応答信号を検出するのに適したアンテナ及び受信回路より成ることを特徴とする請求項１５記載の装置。
【請求項１８】
　第１群のセンサにより作成された第１群のセンサ出力信号が、第１の書類の第１の位置に関連付けられ、第２群のセンサにより作成された第２群のセンサ出力信号が、第２の書類の第２の位置に関連付けられ，
　前記検出信号が、前記第１群のセンサが前記第２群のセンサと同じであるか否かの判定に基づいて形成されることを特徴とする請求項１４記載の装置。
【請求項１９】
　表面に置かれた第１の書類を監視する方法であって、前記第１の書類がそれらに物理的に関連付けられた少なくとも１つの無線周波数識別装置（ＲＦＩＤ）を有し、当該方法が：
　第１の期間内に、１つ又はそれ以上の第１の応答指令信号を送信し、それに応答するＲＦＩＤチップからの１つ又はそれ以上の第１の応答信号を受信するステップ；
　第２の期間内に、１つ又はそれ以上の第２の応答指令信号を送信し、それに応答するＲＦＩＤチップからの１つ又はそれ以上の第２の応答信号を受信するステップ；及び
　前記第１応答信号及び前記第２応答信号に基づいて、前記第１の書類の位置が、前記第１の期間及び前記第２の期間の間に変化したか否かを判定するステップ；
　より成ることを特徴とする方法。
【請求項２０】
　更に、第１の書類の位置が変化したことの判定に応答して、音声、映像又は音声−映像データより成る捕捉データを作成するステップより成ることを特徴とする請求項２０記載の方法。
【請求項２１】
　ＲＦＩＤタグが書き込み可能であり、当該方法が更にＲＦＩＤタグに前記捕捉データを格納するステップより成ることを特徴とする請求項２０記載の方法。
【請求項２２】
　更に、前記捕捉データを、第１書類を示す情報に関連付けるステップより成ることを特徴とする請求項２０記載の方法。
【請求項２３】
　前記捕捉データが、第１書類の位置変化を生じさせた者を表現する画像データを包含することを特徴とする請求項２０記載の方法。
【請求項２４】
　１つ又はそれ以上の第１の応答信号が１つ又はそれ以上の第１の場所で受信され、１つ又はそれ以上の第２の応答信号が１つ又はそれ以上の第２の場所で受信され、前記の比較は、前記第１の場所及び前記第２の場所を比較することを含むことを特徴とする請求項１９記載の方法。
【請求項２５】
　１つ又はそれ以上の第１の応答信号及び１つ又はそれ以上の第２の応答信号の各々がセンサに関連付けられ、前記の比較が、第１の場所に関連付けられるセンサ群と、第２の場所に関連付けられるセンサ群とを比較することを包含することを特徴とする請求項１９記載の方法。
【請求項２６】
　１つ又はそれ以上の第１の応答指令信号が複数の場所から送信され、１つ又はそれ以上の第２の応答指令信号が複数の場所から送信されることを特徴とする請求項１９記載の方法。
【請求項２７】
　机上で行なわれることを特徴とする請求項１９記載の方法。
【請求項２８】
　更に、第１書類の位置が変化したことの判定に応答して、音声、映像又は音声−映像データを収集するステップより成ることを特徴とする請求項１９記載の方法。
【請求項２９】
　書類処理装置で行なわれることを特徴とする請求項２８記載の方法。
【請求項３０】
　前記書類処理装置が、プリンタ、コピー機、及びファクシミリ伝送装置の内の１つより成ることを特徴とする請求項２９記載の方法。
【請求項３１】
　それらに物理的に関連付けられた無線周波数識別（ＲＦＩＤ）装置を有する書類を監視する装置であって：
　ある構造の表面に置かれたＲＦＩＤ装置に応答指令を与える応答指令手段であって、前記ＲＦＩＤが該応答指令に応じて１つ又はそれ上の応答信号を生成するところの応答指令手段；
　前記構造の近辺に並べられた複数の場所で前記応答信号を検知する検知手段；及び
　第１群の応答信号及び第２群の応答信号に基づいて、前記表面における前記ＲＦＩＤ装置の位置の変化を検出する検出手段；
　より成り、ＲＦＩＤ装置が第１の位置にある場合に第１群の応答信号が生成され、ＲＦＩＤ装置が第２の位置にある場合に第２群の応答信号が生成されることを特徴とする装置。
【請求項３２】
　各応答信号が前記の位置の一方に関連付けられ、位置変化の検出が、第１応答信号の位置及び第２応答信号の位置の間の差異に基づくことを特徴とする請求項３１記載の装置。
【請求項３３】
　前記検知手段が複数のアンテナより成り、位置変化の検出が、第１応答信号を受信したアンテナ及び第２応答信号を受信したアンテナの間の差分に基づくことを特徴とする請求項３１記載の装置。
【請求項３４】
　前記応答指令手段が、前記構造周囲に設けられた複数の応答指令回路を包含することを特徴とする請求項３１記載の装置。
【請求項３５】
　書類処理装置における書類監視装置であって：
　応答指令信号を生成する少なくとも１つの応答指令ソース；
　１つ又はそれ以上の書類を受信するのに適した書類受領領域付近に設けられた複数のセンサであって、各センサが、書類に隣接して応答し、書類を示すセンサ出力信号を生成するよう動作するところの複数のセンサ；
　前記構造に置かれた第１の書類の動きを示す検出信号を生成するために、センサからセンサ出力信号を受信するように接続された検出モジュール；及び
　前記検出信号を受信し、ユーザを表現するユーザ識別情報を取得するように動作可能に接続される記録装置；
　より成り、書類が、応答指令信号にさらされることで応答信号を生成し、センサが応答信号を検出し、
　第１群のセンサ出力信号が第１の書類の第１位置に関連付けられ、第２群のセンサ出力信号が第２の書類の第２位置に関連付けられ、
　前記検出信号が第１群のセンサ出力信号及び第２群のセンサ出力信号に基づいて作成されることを特徴とする書類監視装置。
【請求項３６】
　書類受領領域が原稿書類を受けるための入力要素であり、書類処理機能がセンサ出力信号及びユーザ識別情報に基づいてイネーブルされることを特徴とする請求項３５記載の装置。
【請求項３７】
　第１群のセンサ出力信号が第１群のセンサにより生成され、第２群のセンサ出力信号が第２群のセンサにより生成され、検出信号が、第１群のセンサが第２群のセンサと同じか否かの判定に基づいて生成されることを特徴とする請求項３５記載の装置。
【請求項３８】
　各センサが１つ又はそれ以上の応答指令ソースを包含し、応答指令信号が、前記構造に設けられた無線周波数識別タグ（ＲＦＩＤ）における応答信号を生成するのに適切であることを特徴とする請求項３５記載の装置。
【請求項３９】
　前記ＲＦＩＤタグが書類に設けられることを特徴とする請求項３５記載の装置。
【請求項４０】
　前記構造に設けられた無線周波数識別タグ（ＲＦＩＤ）における応答信号を生成するのに適切な応答指令信号を生成及び送信するたえの送信機より成る、単独の応答指令ソースのみが存在することを特徴とする請求項３５記載の装置。
【請求項４１】
　センサがアンテナであり、各々が付随する受信回路を有することを特徴とする請求項４０記載の装置。
【請求項４２】
　前記書類処理装置が、プリンタ、コピー機及びファクシミリ伝送装置の内の１つより成ることを特徴とする請求項３５記載の装置。
【発明の詳細な説明】
【技術分野】
【０００１】
　本発明は、一般にセキュリティシステムに関連し、特に書類監視システム及び書類セキュリティを与える方法に関連する。
【背景技術】
【０００２】
　人々の集団を含む任意のプロジェクトでは、一般に、協力的な協調的な相互作用が仕事の成否の要又は鍵となる。プロジェクトは、希望する目標を確認し、その目標を達成するのに必要な業務を理解するための一連の打ち合わせから始まる。マーケティングでは、例えば、製品管理者（プロダクトマネジャ）及び営業員が、製品路線及びサービスを決定し、潜在的なマーケット及び顧客ターゲットを確認し、公報戦略及び新製品のシナリオを進展させる等のために頻繁に会合を開く。技術部門では、基本的な設計目標及び基本的な実現手法が議論され確認される。
【０００３】
　重要ではあるが長々としたこの努力の成果は、多くの書類作成となる。ほとんどの書類は各人の間で自由に分配される。しかしながら、常に多くの書類は非常に重要な情報を含む産物である。技術計画及び設計は、書類化される必要があるが、秘密に維持される又は保全される（ｓｅｃｕｒｅｄ）必要がある。マーケティング計画及び予測、並びに顧客リストは、アクセスの制限される必要のある典型的な重要事項である。
【０００４】
　［関連出願］
　本願では、以下の出願及び特許の全内容が参考に供せられる。
【０００５】
　（１）その出願と同時に出願された米国特許出願第　　／　　，　　号（代理人管理番号１５３５８−００７７００ＵＳ）；
　（２）その出願と同時に出願された米国特許出願第　　／　　，　　号（代理人管理番号１５３５８−００７８００ＵＳ）；
　（３）その出願と同時に出願された米国特許出願第　　／　　，　　号（代理人管理番号１５３５８−００７９００ＵＳ）；
　（４）その出願と同時に出願された米国特許出願第　　／　　，　　号（代理人管理番号１５３５８−００８１００ＵＳ）；及び
　（５）その出願と同時に出願された米国特許出願第　　／　　，　　号（代理人管理番号１５３５８−００８２００ＵＳ）。
【０００６】
　本願は、（１）１９９９年１１月２日に出願され“ＡＵＴＯＭＡＴＩＣ　ＡＮＤ　ＴＲＡＮＳＰＡＲＥＮＴ　ＤＯＣＵＭＥＮＴ　ＡＲＣＨＩＶＩＮＧ”と題する米国特許出願番号第５，９７８，４７７号に関連し、その全内容が参考に供せられる。
【特許文献１】米国特許第５，９７８，４７７号明細書
【発明の開示】
【発明が解決しようとする課題】
【０００７】
　しかしながら、これら重要書類は、更なる進展のために複写され、配布され及び組織内の多くの各人の中で分散される必要がある。従って、書類セキュリティ支援を行なう方法及びシステムについての要請が存在する。
【課題を解決するための手段】
【０００８】
　書類監視は、適切な面に置かれた書類を検知すること、及びその面上の位置変化に関してその書類を監視することを含む。センサは、第１の場所を示す第１情報と、第２の場所を示す第２情報とを収集する。センサデータは、位置変化が生じたか否かを判別するために比較される。一実施例では、位置変化が生じたことの検出に応答して、記録動作が開始され得る。本発明の他の実施例では、センサで集めた情報に基づいて、書類処理機能がイネーブルされ又はディセーブルされ得る。本発明の一態様では、センサ要素は、無線周波数識別（ＲＦＩＤ）タグ及び関連する応答指令（ｉｎｔｅｒｒｏｇａｔｉｏｎ）装置より成る。
【発明を実施するための最良の形態】
【０００９】
　図１は本発明による書類監視装置の実施例を示す概略図である。書類監視装置１００は、１つ又はそれ以上の書類の配置に適した構造１０４を含む。本構造は、例えば、デスクトップ（卓上）又は同様な作業面であり得る。本構造は、本棚の中の棚、又は複写機やプリンタ等のような書類処理装置の書類箱であり得る。
【００１０】
　書類監視装置は、更に、構造１０４のある領域に関して設けられたセンサ１１２の配列を含む。図に示されるように、センサは規則的なパターンに並べられている。センサは、図示されているような規則的なパターン以外の任意のパターンで並べられることが可能なことは、理解されるであろう。更に、センサは不規則な又はランダムなパターンに並べられ得ることも、理解されるであろう。
【００１１】
　検出モジュール１０６は、センサ１１２によって生成された信号の集まりを表現する出力信号１１４を受信する。検出モジュールは、その出力信号に基づいて検出信号を生成する。検出モジュールは、出力信号１１４の性質に依存して、適切に構成されたコンピュータプロセッサ又はアナログ装置であり得る。以下に説明されるように、本発明の特定の実施例では、出力信号はディジタルであり、検出モジュールはディジタル処理装置であり得る。
【００１２】
　制御信号１１８Ａは、センサ１１２に接続され、それらの動作を制御する。本発明の一実施例では、制御信号は検出モジュール１０６によって生成される。この形態又はコンフィギュレーションは、センサ１１２及び検出モジュール間の同期動作をとるのに適切である。或いは、図１に示されるように、制御信号１１８Ｂは、検出モジュール以外のソースから与えられることも可能である。
【００１３】
　図２（Ａ）〜（Ｃ）は、構造１０４にセンサ１１２を組み込む代替例を示し、図１に示される２−２線に沿う断面図を示す。図２（Ａ）に示される例は、１つ又はそれ以上の積層体１０４ａ，１０４ｂを有し、積層体１０４ｂの材料の中に設けられたセンサ１１２を示す。この構造例は、ガラスの保護層１０４ａを有するデスクトップとすることが可能であり、この場合にはセンサがデスクトップ１０４ｂの材料（例えば、木）の中に埋め込まれている。図２（Ｂ）は、センサが構造の表面１０２に接しており（ｆｌｕｓｈ）、その構造に簡易に埋め込まれている例を示す。図２（Ｃ）は、センサが構造の表面１０２下部に埋め込まれた更に別の例を示す。センサは様々な手法で構造１０４に組み込まれ得ることが、これらの例から理解されるであろう。
【００１４】
　無線周波数識別システム（ＲＦＩＤ）の要素は、本願実施例の特定の形態で使用される。ＲＦＩＤは識別のための汎用性のある無線ソリューション（解決手段）である。それは、図書館の書籍を追跡することから、牧場の牛の動きを監視することに至る非常に広範な用途を有する。図３（Ａ）、（Ｂ）は、３つの要素より成る基本的なＲＦＩＤシステムを示し、それらは：アンテナ要素（コイル）３１３、送受信要素３１２、及びトランスポンダ（一般に、ＲＦＩＤタグと呼ばれる）３１６である。
【００１５】
　アンテナ要素３１３は、タグ３１６を起動するために無線信号を放出する。アンテナには、様々な形状及びサイズのものを利用することができる。従って、アンテナは、本発明の特定の態様では、図１，図２（Ａ）〜（Ｃ）に示されるセンサ１１２を構成し得ることが、理解されるであろう。
【００１６】
　しばしば、アンテナ要素３１３は、典型的にはデコーダモジュールを包含する送受新要素３１２と共にパッケージ化される。この組み合わせは、リーダ（ｒｅａｄｅｒ）、応答指令器（ｉｎｔｅｒｒｏｇａｔｏｒ）等として様々に言及される。動作時にあっては、リーダは、その電力出力及び使用される無線周波数に依存して、１インチから数フィード又はそれ以上の任意の範囲に無線電波３２２（応答指令信号）を発することができる。送受信要素は、アンテナ要素により伝搬される応答指令信号を生成する。
【００１７】
　ＲＦＩＤタグが応答指令信号の電磁領域を通過すると、それはその信号に応答し、応答信号３１６を生成し、応答信号はアンテナ要素３１３により拾われ又はピックアップされ、送受信要素３１２に与えられる。トランシーバにおけるデコーダモジュールは、応答信号をデコードし、タグの中にエンコードされているデータを抽出し、そのデータは以後の処理のためにホストコンピュータに伝達される。
【００１８】
　ＲＦＩＤタグには様々な形状及びサイズのものがある。あるタグは読み取り専用であるが、他のタグは読み書き可能である。例えば、日立製作所によるミューチップ（ＭＵ−ｃｈｉｐ）は０．４ｍｍ２程度のチップであり、紙に埋め込まれるのに十分薄く（約６０μｍ）、１２８ビットの読み取り専用メモリ（ＲＯＭ）を含む。
【００１９】
　ＲＦＩＤタグは、能動的（ａｃｔｉｖｅ）又は受動的（ｐａｓｓｉｖｅ）の何れにも分類され得る。能動的ＲＦＩＤタグは、内部電源によって電力供給され、典型的には読み込み／書き込みがなされ、即ちタグデータは再書き込み及び／又は修正され得る。能動的タグのバッテリ供給電力は、一般に、より遠くに至る読み込み範囲をもたらす。当然ながら、トレードオフはサイズの大型化、コストの増加、バッテリの寿命に起因する動作寿命の制約等である。それにもかかわらず、適切な動作条件の下に、能動的タグが本発明にて有用であり得ることが理解されるであろう。
【００２０】
　受動的ＲＦＩＤは、別個の外部電源なしに動作し、リーダから送信される応答指令信号から生成される動作電力を取得する。従って受動的タグはアクティブタグよりも計量であり、安価であり、原理的には動作寿命の制約がない。トレードオフは、読み取り範囲が能動的タグより短いこと、及びより高電力のリーダを要すること等である。読み取り専用タグは典型的には受動的タグであり、修正できない固有のデータセット（通常は、３２乃至１２８ビット）と供にプログラムされる。例えば、日立ミューチップは１２８ビットデータワードで事前にプログラムされ得る。
【００２１】
　本発明によれば、物理的な書類がそれらに物理的に関連付けられた１つ又はそれ以上のＲＦＩＤタグを有する。多くの（ｐｌｅｔｈｏｒａ）取り付けプロセスが可能である。複数の書類を一緒にして集めるクリップに、ＲＦＩＤタグが設けられ得る。例えば、書類クリップは、タグを組み込むことが可能であり、又は止め具（ｓｔａｐｌｅ）がタグと共に組み込まれ得る。
【００２２】
　取付は手動でも自動でも行なわれ得る。例えば、複写機はＲＦＩＤのタグ付けされた止め具、又はタグの接着剤を供給することが可能であり、まとめられたコピーが止め具でタグ付けされ、又は単一のページ複写が接着性タグでタグ付けされるようにすることが可能である。ＲＦＩＤタグ（例えば、日立ミューチップ）は用紙自体の中に埋め込まれ得る（タグ付けされた用紙）。
【００２３】
　本発明の特定の実施例では、各ＲＦＩＤタグは、「タグ識別子（ｔａｇ　ｉｄｅｎｔｉｆｉｅｒ）」と呼ばれる固有の識別子に関連付けられる。更に、タグが物理的な書類に物理的に関連付けられる場合に、タグ識別子とその物理的な書類に関連する「書類情報」との間の関連付けがなされる。書類情報は、物理的な書類の電子コピー、書類の画像、書類の物理的又は電子形式を識別するリファレンス、物理的書類の電子コピーが見出され得る場所を識別するリファレンス、他の書類に対するリファレンス等より成る。書類情報は、例えば、ある書類がコピーされ得るか否かの認可を示す情報を含み得る。書類情報は、所有者（オーナーシップ）情報、書類修正履歴等を包含し得る。一般に、任意の種類の情報が「書類情報」を形成し得ることが理解されるであろう。
【００２４】
　書類情報は、書類の作成時間にて収集され得る：例えば、書類が印刷された時、コピーされた時、ファックス送信された時その他の処理された時である。書類情報は、例えば修正がなされる場合、又はコピーが作成される場合等のような書類の寿命（ｌｉｆｅｔｉｍｅ）の間に集められた情報の蓄積であり得る。データベースシステム（不図示）は、そのような情報を格納するように、又は他の適切な情報管理システムを与えるように設けられる。データベース又は情報管理システムは、タグ識別子及び書類情報の間の対応関係又はマッピングを与えるために使用され得る。
【００２５】
　図４Ｂは、本願実施例による書類監視がどのようにして行なわれるかを示す。構造１０４の表面１０２に、ＲＦＩＤタグ４１６に関連付けられる書類があるとする。図に示されるように、書類はその表面における第１位置４０２、及び架空の第２位置４０２’を有する。
【００２６】
　図４Ｂに示される実施例では、センサ１１２は、応答指令信号３２２を生成する送受信回路３１２より成る応答指令回路である。各センサのアンテナ素子３１３でピックアップされる応答信号は、送受信回路で検出される。しかしながら、センサの総てが応答信号を検出するわけではない。応答信号は一般的には微弱であるので、特に受動的ＲＦＩＤタグの場合には弱いので、タグ４１６により生成された応答信号の送信範囲内のセンサのみが、その信号を検出できる。
【００２７】
　ＲＦＩＤタグの限定された送信範囲が、図６（Ａ）、（Ｂ）に示されている。図６（Ａ）では、応答指令器６１２の総てが応答指令信号６２２を送信する（但し、簡単のため、２つの応答指令器６１２ａ，６１２ｂに関する信号６２２ａ，６２２ｂのみが示されている。）。関連するＲＦＩＤタグ６１６を有する書類が、電磁輻射にさらされている。図６（Ｂ）はタグ６１６により生成された応答信号６２４を示す。しかしながら、応答信号の信号強度は弱いので、その範囲は限定され、そのため総ての応答指令器によっては検出されない。むしろ（この場合は）応答信号は応答指令器６１２ａによってのみ検出される。
【００２８】
　図４Ａは、図４Ｂに示される形態で行なわれる処理の上位概念的フローチャートを示す。各センサ１１２は、ステップ４０２にて、時刻ｔ０にて応答指令信号を送信する。上寿写したように、タグ４１６の応答信号は、タグの送信範囲内にあるセンサによってのみ検出される（ステップ４０４）。応答信号を検出するこれらのセンサはそれぞれ検出出力信号を生成し、その信号は典型的には例えば識別コードのようなタグ４１６に格納されるいくつかの情報より成る。センサ出力信号の収集は、出力信号１１４によって全体的に表現されている（図１）。検出モジュール１０６は、第１群のセンサ出力信号を受信し、書類の第１位置４０２を示す第１情報としてそれらを格納する（ステップ４０６）。
【００２９】
　書類が動いた時間をｔ１（＞ｔ０）とする。これは、位置４０２’に示される書類（架空の又は波線）により示される。時刻ｔ２（＞ｔ１）にて、第２応答指令信号が、センサ１１２の送受信回路により送信され（ステップ４０２）、他のセンサ群がタグ４１６から生成された応答信号を検出する（ステップ４０４）。第２群のセンサ出力信号は出力信号１１４として生成され、書類の第２の位置４０２’を示す第２情報として検出モジュール１０６に格納される（ステップ４０６）。第１センサ出力信号及び第２センサ出力信号に基づいて、書類の動きが決定され得る（ステップ４１２）。
【００３０】
　本発明の特定の実施例では、検出モジュール１０６は、各信号にセンサの場所を示す情報を関連付けることで、センサ出力信号を処理することができる。例えば、センサ４５０から受信したセンサ出力信号は、座標（Ａ，１）によって区別される場所に関連付けられる。このようにして、時刻ｔ０にてタグ４１６の応答信号を検出したセンサの場所と、時刻ｔ２にて応答信号を検出したセンサの場所とを比較することで、書類の動きが決定される。
【００３１】
　或いは、検出モジュール１０６は、センサ出力信号をセンサ１１２それら自身に関連付けることで、センサ出力信号を処理することができる。例えば、センサ出力信号は、タグ識別子を示す、即ちそのタグを区別する情報を含み得る。書類の動きは、第１群のセンサ出力信号から取得したタグ識別子を、第２群のセンサ出力信号から取得したタグ識別子と比較することで検出され得る。
【００３２】
　図５（Ａ）〜（Ｃ）は、本発明の別の実施例による書類監視装置を示す。装置５００は書類の配置に適切な構造５０４を包含する。複数の受信要素５１２ｂはその構造のある領域の回りに設けられる。図５（Ａ）〜（Ｃ）は、受信要素がどのようにして構造５０４と協調するかを例示する。受信要素の出力は、出力信号１１４として収集され提供される。本は詰めｉｉのこの実施例では、単独の送信回路５１２ａが、制御信号５１８に応答して応答指令信号５２２を送信するように設けられる。ＲＦＩＤタグ５１６は、構造５０４の表面に設けられるように示される。
【００３３】
　受信要素５１２ｂは、タグ５１６から応答信号を送信するアンテナ要素（例えば、図３（Ａ）の３１３）より成る。受信要素は、更に、アンテナでピックアップした応答信号を検出するための回路（図示せず）を包含する。受信要素は、図３（Ａ）、（Ｂ）に示されるもののような従来の応答指令装置の一部を形成する。本発明のこの特定の実施例では、従来の応答指令器の送受信要素が、送信回路要素５１２ａと複数の受信回路要素５１２ｂに分離されている。複数の受信要素は構造５０４の周囲に設けられる。
【００３４】
　図５（Ｂ）、（Ｃ）は、応答指令信号５２２による応答指令の後に、タグ５１６からの応答信号５２４の伝搬の様子を示す。図５（Ｃ）は図５（Ｂ）のＣ−Ｃ線に沿う平面図である。各図は応答信号の限定された範囲を示し、全部よりは少ない受信要素５１２ｂによる信号の検出を示し、この場合に、受信要素Ａ−Ｄが応答信号を検出するように描かれている。タグ５１６は、波線で示される架空の位置の書類５０２に物理的に関連付けられるように示される。
【００３５】
　図７は、本発明の更なる別の実施例による書類監視の様子を示すブロック図である。この図は、書類処理装置７００を示す。例えば、これはコピー機、ファクシミリ装置又はプリンタ等であり得る。書類処理装置は、書類の山として概念的に表現される、書類ソース７０１を有する。入力要素７３２は書類ソースを処理する。例えば、コピー機又はファクシミリ装置（ｆａｘ）の場合に、書類ソースは、コピーされる物理的な用紙であり得るし、入力要素は画像処理装置であり得る。書類ソースは、データ処理装置へのデータ接続部でさえあり得るし、その場合に書類はコピー機又はファクシミリ装置に電子的に与えられる。プリンタの場合には、書類ソース７０１は、書類サーバ又は何らのデータ処理装置へのネットワーク接続のようなものとすることが可能であり、入力要素は、書類を構成する電子データを受信留ためのネットワークインターフェース要素とすることが可能である。
【００３６】
　入力要素７３２は、コピー又はプリントアウトを作成するために書類生成要素７３０に接続される。書類ソース７０３は、書類の山を書類生成要素に供給する。本願実施例では、ＲＦＩＤタグは、書類生成要素により生成された書類に物理的に関連付けられる。例えば、接着性タグの供給機構は、書類生成要素の中に組み込まれることが可能であり、その書類生成要素は、コピー動作又は印刷動作中にそれが通過する場合に、タグを紙のストック（ｓｔｏｃｋ）に取り付ける。他の例では、ＲＦＩＤタグより成る止め具のマガジン（ｍａｇａｚｉｎｅ）を有する止め具機構が、複数ページの書類を束ねてタグ付けすることができる。或いは、書類ストック自体が、用紙に直接的に組み入れられたＲＦＩＤを有する「タグ付け用紙」であり得る。
【００３７】
　ファクシミリ伝送装置の場合には、書類生成要素７３０は、遠隔したファクシミリ送信装置に接続し、その遠隔回路に書類の電子コピー（ＦＡＸ）を通信するデータ通信回路より成る。
【００３８】
　書類生成装置７００は、例えば、コピーされた文書、印刷された文書のようなコピー又は原稿を受けるために設けられた、適切な出力トレイ７３４を包含する。
【００３９】
　検出モジュール７０６は、入力要素７３２及び出力トレイ７３４の一方又は両方に対する信号接続部７１４ａ，７１４ｂを包含する。以下に説明されるように、信号接続部は、入力要素及び／又は出力トレイに存在する書類についての情報を与える。検出モジュールは信号７０７を記録要素７０８及び適切なサーバシステム７１０に供給する。
【００４０】
　記録要素７０８には、各々を識別する記録情報が用意される。記録要素は、キー入力用に又は彼らの身元を示す情報を与えるために使用する入力装置を含むことが可能であり、それは書類処理装置７００を起動するために以後使用される。記録要素は、個々の画像７０９を生成する画像記録装置を包含し得る。画像はその後にサーバ７１０に供給され、サーバは個々の身元を判別するために適切な画像分析を実行することができる。
【００４１】
　一実施例では、入力要素７３２は、ＲＦＩＤタグを包含するソース書類を検出するＲＦＩＤ応答指令装置７３２ａを包含する。制御信号７１８は、例えば応答指令信号を生成するために、応答指令装置を制御するために入力要素に与えられる。コピー機の場合は、記録要素７０８はユーザを示す情報を取得し得る。その情報は識別コード又はユーザの画像であり得る。ソース書類７０１がコピー機に与えられる場合に、入力要素７３２はソース書類内のタグを検出し、適切な信号７１４ａを検出モジュール７０６に送信する。検出モジュールに与えられた信号は、タグ識別子を包含し得る。記録よそにより供給された識別情報及び検出モジュールにより供給されたタグ情報は、サーバ７１０によって処理され得る。サーバはその後に受信した情報に基づいて（適切な制御信号、例えば７１８を利用して）コピー機能をイネーブルにする。
【００４２】
　例えば、タグ情報は、その書類を識別する何らかの情報に対応付けられる。上述したように、この情報は、書類識別子、書類の画像等の任意のものであり得る。また、タグ情報は、その特定の書類に関して特定のユーザにどのような動作（コピーをとること、特定の宛先にファクシミリ送信すること等）が許可されているかを指示することに関連する許可情報に対応付けられ得る。一般に、書類処理装置７００に要求される動作は、記録要素によって収集された情報に基づいて、及び入力要素７３２に含まれるＲＦＩＤ応答指令装置７３２ａにより受信された情報に基づいて、イネーブルされ又はディセーブルされ得る。
【００４３】
　本発明の更なる実施例では、再書き込み可能なＲＦＩＤチップ（タグ）におけるハッシュコードの組み合わせである。ハッシュコード（例えば、ｍｄ５ハッシュアルゴリズムについては、“http://userpages.umbc.edu/〜mabzugl/cs/md5/md5.html”のウェブサイトを参照。）は、印刷される前に書類（例えば、ポストスクリプト（ｐｓ）又はスキャンされた画像）のディジタル表現に適用され得る。ｍｄ５ハッシュは、固有の書類全体につき固有の１２８ビット出力を形成する。ハッシュコードはＲＦＩＤチップに格納され得る。後に、２つの物理的な書類が厳密に同じ内容であることを確認する必要のあるユーザは、単にＲＦＩＤチップをスキャンし、ハッシュコードを比較することができる。２つの書類を並べた目視的比較は困難であり、特に書類の２つの態様（バージョン）の間に小さな差異しかない場合（例えば、数語しか相違しないとき）は特に困難であることに留意を要する。しかしながら、ハッシュコードが使用されるならば、その比較は極めて容易である。また、比較される２つの書類が、異なるフォーマット規則（例えば、１列フォーマット又は２列フォーマット）に従って、異なる場所で異なる人々によって異なる時間に印刷され得ることにも留意を要する。そのような２つの書類を比較するのにハッシュコードを利用すると、非常に正確になる。また、その比較は異なる人々によって異なる場所でなされ得るが、共通の通信チャネルを共用し得ることにも留意を要する。これは、同一の契約書が異なる人々により異なる場所で印刷されるところの契約締結プロセスの一部になり得る。ｍｄ５ハッシュコードは、チップから読み出され、署名ライン近辺にてその契約書上に印刷される（即ち、手書きされる）。署名された契約書の画像は署名者間で交換され得る。各自はその契約内容が厳密に同じであることを保証し得る。
【００４４】
　本発明の更なる別の実施例では、出力トレイ７３４が、例えば図１に示されるように設けられた１つ又はそれ以上の応答指令装置７３４ａに設けられる。本実施例では、ＲＦＩＤタグに物理的に関連する任意の書類は、その出力トレイ内の動きに関して監視され得る。これは、書類の位置変化又はその移行を監視することを含む。重要な事案が出力トレイに残っている場合に、位置変化を検出することが望ましく、その位置変化は、誰かがその重要情報を見るためにいくつかの書類を動かしたことを示し得るものである。
【００４５】
　移動が検出されると、上述したように、応答指令装置から適切な信号が形成される。応答指令出力信号７１４ｂは検出モジュール７０６に送信される。検出モジュールはその後に記録装置７０８に信号送信し、その事象（イベント）を記録するためにその近辺の音声及び／又は視覚的情報を捕捉し、及びその事象を引き起こした者を把握する。この情報は以後出力トレイから検出モジュールによって取得された情報と共にサーバ７１０に送信され、どのような書類が動かされたか（又は移行したか）、その事象がいつ起こったか、及び／又はその事象を引き起こした者を記録する。
【００４６】
　サーバ７１０は中央データベースとして機能し、上述した書類履歴を格納する。書類履歴は様々な手法で蓄積され得る。例えば、書類の「無意識的捕捉(unconscious capture)」は、ユーザが意図的に起動せずに自動的な書類捕捉が起こる技法である。そのような技法は、１９９９年７月６日に出願された米国特許第５，９７８，４７７号及び米国特許出願第０９／３４７，９５３号に開示され、その全内容が本願の参考に供される。当然に、他の書類捕捉法が書類履歴データベースを形成するために使用され得る。蓄積された履歴は、書類を抽出する及びそれらのセキュリティ履歴を閲覧する内容に基づいて、探索され得る。
【００４７】
　本発明による書類セキュリティシステムの望まれる特徴は、書類に関して、ＲＦＩＤチップにてそれらのセキュリティ履歴を搬送できることである。これは、再書き込み可能なＲＦＩＤチップを利用することで達成される。そして、本発明の他の実施例では、再書き込み可能なＲＦＩＤタグは書類履歴の一部を格納するために使用され得る。図７を参照するに、ＲＦＩＤ応答指令装置７３２ａ及び／又は７３４ａは、書類に設けられた再書き込み可能なＲＦＩＤタグにおける情報格納部にふさわしい信号を生成するよう構成され得る。
【００４８】
　再書き込み可能なＲＦＩＤは、書類が印刷された時、それが出力トレイから動かされた時、それを動かした者、それが机上で動いた時等のような情報をユーザが容易に判別することを可能にする。チップにセキュリティ履歴を格納することは、ネットワーク接続又は中央データベースからの抽出を要しないので、その情報への以後のアクセスを簡易化する。同様な履歴情報が、再書き込み可能なチップを有しない書類（例えば、単なる読み取り専用チップ）についても計算されることが理解されるであろう。そのような情報は、その情報の格納及び抽出に関連する中央データベース（例えば、図７の要素７１０）に格納され得る。
【００４９】
　本発明の実施例では、書類のセキュリティ履歴は、書類が存在していた場所、そのような場所に存在していた時、そのような場所でそれが動かされた時、及びそれらの場所からそれが動かされた時等を表現する情報を包含し得る。そのような履歴の入力例は、例えば：
　「１５ページの書類２１５６２４」印刷プリンタ＿８７８０「１９９８年８月１２日」１５：４７
である。
【００５０】
　これは、その書類を一般的に１５ページ書類として識別し、中央データベースからその書類内容を抽出するために使用され得る固有の識別番号に関連付ける。また、それを印刷した装置（プリンタ＿８７８０）及びそれが印刷された日時をも見分ける。当然に、この情報は、チップに要求される格納スペースを削減するためにジップ（ｚｉｐ）のような一般的に周知の技法で圧縮され得る。
【００５１】
　その履歴の中の次の入力は、書類がプリンタの出力トレイから動かされた日時を示すであろう：
　「１５ページ書類２１５６２４」移動プリンタ＿８７８０「１９９８年８月１２日」１６：０８。
【００５２】
　これは、その書類に取り付けられているＲＦＩＤチップの動きを監視する応答指令装置７３２ａ及び／又は７３４ａにより実行され得る。この装置は、書類が出力トレイから動かされた時点でチップのメモリに書き込みを行なう回路を包含し得る。
【００５３】
　しかしながら、トレイから物理的に移動する速度が、その回路の動作速度を上回ることもあり得る。そこで別の実施例では、その装置は、チップ内で最新の履歴入力（「動かされた」記録）を定常的に再書き込みする再書き込み回路を包含し得る。これは、それは動かされる以前であるが書類が出力トレイ内にある場合に行なわれ得る。このように、たとえどのように速く書類が動かされたとしても、移動した時間が記録され得る。
【００５４】
　図８は再書き込み回路の再書き込み手順のステップに関する上位概念的フローチャートである。書類が書類セキュリティシステムに到来すると、それはステップ８０２にてＲＦＩＤタグ内の項目を読み出す。ステップ８０１にて、そのタグが「移動した」記録を法がインしないことが判定されると、ステップ８０６に進む。タグ内に「移動した」記録が存在する場合は、ステップ８０３にて履歴再書き込み回路は、最新の履歴更新以来の時間量が閾値ｔ２を超えているか否かを判別する。これらの条件が満たされるならば、新たな「移動した」記録が履歴リストに付加され（ステップ８０６）、更新プロセスが再び始まる（ステップ８１０）。ステップ８０３にて閾値ｔ２を上回らない場合は、格納済みの記録されている時間記録は、ステップ８０４にて、現在の時間の記録によって単に置換される。同一の更新アルゴリズムが、出力トレイ監視アルゴリズム、デスクトップセキュリティ態様その他の類似する書類追跡システムに使用され得ることが、理解されるであろう。しかしながら、時間閾値は相違し得る。
【００５５】
　また、このアルゴリズムの変形例（図９に示される）は、ステップ９０２にて、セキュリティシステムに取り付けられたカメラによって捕捉された「移動した」記録における画像をも格納し得る。多くの不適切な画像が捕捉されたとしても、本アルゴリズムは、「移動した」記録に最終的に格納された画像が、装置からその書類を動かした者によることを保証する。
【図面の簡単な説明】
【００５６】
【図１】本願実施例による書類を監視する検出システムの概略ブロック図である。
【図２】表面にセンサを組み込む典型例を示す図である。
【図３】一般的な無線周波数識別システムを示す図である。
【図４Ａ】本願実施例による動作を示すフローチャートである。
【図４Ｂ】本願実施例による書類監視の様子を示す図である。
【図５】他の実施例による検出システムのブロック図である。
【図６】ＲＦＩＤシステムの送信範囲の特性を示す。
【図７】本発明によるいくつかの態様を組み込む書類処理システムのブロック図を示す。
【図８】再書き込み可能なＲＦＩＤタグに書き込みを行なうステップに着目したフローチャートである。
【図９】画像捕捉を含む再書き込み可能なＲＦＩＤを書き込むためのアルゴリズムに関するステップに着目したフローチャートである。
【符号の説明】
【００５７】
　１００　書類監視装置
　１０２　表面
　１０４　構造
　１０６　検出モジュール
　１１２　センサ
　１１４　出力信号
　１１６　検出信号
　１１８　制御信号
　３１２　送受信要素
　３１３　アンテナ要素
　３１６　トランスポンダ
　４０２　第１位置
　４０２’　第２位置
　４１６　ＲＦＩＤタグ
　４５０　センサ
　５００　装置
　５０４　構造
　５１２ａ　送信要素
　５１２ｂ　受信要素
　５１４　出力信号
　５１６　タグ
　５２２　応答指令信号
　５２４　応答信号
　６０２　書類
　６１２　応答指令器
　６１６　ＲＦＩＤタグ
　６２２　信号
　６２４　応答信号
　７００　書類処理装置
　７０１　書類ソース
　７０３　用紙ソース
　７０６　検出モジュール
　７０８　記録要素
　７０９　画像
　７１０　サーバ
　７１４　信号接続部
　７１８　制御信号
　７３０　書類生成要素
　７３２　入力要素
　７３４　出力トレイ
【図１】
2004094949.tif 000003
【図２】
2004094949.tif 000004
【図３】
2004094949.tif 000005
【図４Ａ】
2004094949.tif 000006
【図４Ｂ】
2004094949.tif 000007
【図５】
2004094949.tif 000008
【図６】
2004094949.tif 000009
【図７】
2004094949.tif 000010
【図８】
2004094949.tif 000011
【図９】
2004094949.tif 000012